(57)【要約】【課題】ディスクトレイの衝撃等による装置本体からの離脱を防止することができる光ディスク駆動装置を提供する。【解決手段】ロック機構１０は、ディスクトレイ２に設けた支軸を中心に回動する、支軸をはさんで可動子と係合する位置と反対側に可動子に対するカウンタウェイト３０を備えたラッチレバー１１と、装置本体１に固定されたディスクトレイが収納位置にあるときにラッチレバー１１に係合する係合部材と、前記ラッチレバー１１を係合部材に係合する方向に付勢するバネ１５と、電磁力により前記ラッチレバー１１と係合する可動子を駆動することでラッチレバーを、係合部材との係合を解除する方向に駆動するソレノイド１１３とを備えている。【選択図】　　　　図１
2004005875.tif 000002
【特許請求の範囲】
【請求項１】
装置本体に対して光ディスク収納位置と光ディスク取出し位置との間を移動可能なディスクトレイと、前記ディスクトレイを光ディスク収納位置から光ディスク取出し位置方向に付勢する手段と、前記ディスクトレイを収納位置に保持するロック機構とを有する光ディスク駆動装置において、
前記ロック機構は、
前記装置本体に固定された係合部材と、
前記ディスクトレイに設けられた支軸を中心に回動し、当該ディスクトレイが収納位置にあるときに、前記係合部材に係合する係合部を備えたラッチレバーと、
前記ラッチレバーを係合部材に係合する方向に付勢する手段と、
電磁力により前記ラッチレバーと係合する可動子を備え、当該可動子を駆動することで前記ラッチレバーを、前記係合部材との係合を解除する方向に動作させる前記ディスクトレイに設けられた駆動手段と、
前記ラッチレバーの前記支軸を挟んだ反対側に当該ラッチレバーと一体に設けられた、前記可動子との重量均衡をとるカウンタウェイトと、
を備えたことを特徴とする光ディスク駆動装置。
【請求項２】
装置本体に対して光ディスク収納位置と光ディスク取出し位置との間を移動可能なディスクトレイと、前記ディスクトレイを光ディスク収納位置から光ディスク取出し位置方向に付勢する手段と、前記ディスクトレイを収納位置に保持するロック機構とを有する光ディスク駆動装置において、
前記ロック機構は、
前記ディスクトレイに固定された係合部材と、
前記装置本体に設けられた支軸を中心に回動し、前記ディスクトレイが収納位置にあるときに、前記係合部材に係合する係合部を備えたラッチレバーと、
前記ラッチレバーを係合部材に係合する方向に付勢する手段と、
電磁力により前記ラッチレバーと係合する可動子を駆動することで前記ラッチレバーを、前記係合部材との係合を解除する方向に動作させる前記装置本体に設けられた駆動手段と、
前記ラッチレバーの前記支軸を挟んだ反対側に当該ラッチレバーと一体に設けられた、前記可動子との重量均衡をとるカウンタウェイトと、
を備えたことを特徴とする光ディスク駆動装置。
【請求項３】
前記可動子が、直線駆動型の電磁アクチュエータからなることを特徴とする請求項１または２に記載の光ディスク駆動装置。
【請求項４】
前記カウンタウェイトと前記ラッチレバーと前記可動子との重心が前記可動子の移動方向と平行で前記ラッチレバーの前記支軸を通る直線上または当該直線上の近傍にあることを特徴とする請求項１から３の何れか１つに記載の光ディスク駆動装置。
【請求項５】
装置本体に対して光ディスク収納位置と光ディスク取出し位置との間を移動可能なディスクトレイと、前記ディスクトレイを光ディスク収納位置から光ディスク取出し位置方向に付勢する手段と、前記ディスクトレイを収納位置に保持するロック機構とを有する光ディスク駆動装置において、
前記ロック機構は、
前記装置本体に固定された係合部材と、
前記ディスクトレイに設けられた支軸を中心に回動し、当該ディスクトレイが収納位置にあるときに、前記係合部材に係合する係合部を備えたラッチレバーと、
前記ラッチレバーを係合部材に係合する方向に付勢する手段と、
電磁力により前記ラッチレバーと係合する、回転可動子を備え、当該回転可動子により、前記ラッチレバーを前記係合部材との係合が解除される方向に動作させる前記ディスクトレイに設けられた駆動手段と、
前記支軸の軸方向から見て前記回転可動子の重心と当該支軸の中心がほぼ一致している前記回転可動子に設けられたカウンタウェイトと、
を備えたことを特徴とする光ディスク駆動装置。
【請求項６】
装置本体に対して光ディスク収納位置と光ディスク取出し位置との間を移動可能なディスクトレイと、前記ディスクトレイを光ディスク収納位置から光ディスク取出し位置方向に付勢する手段と、前記ディスクトレイを収納位置に保持するロック機構とを有する光ディスク駆動装置において、
前記ロック機構は、
前記ディスクトレイに固定された係合部材と、
前記装置本体に設けられた支軸を中心に回動し、前記ディスクトレイが収納位置にあるときに、前記係合部材に係合する係合部を備えたラッチレバーと、
前記ラッチレバーを係合部材に係合する方向に付勢する手段と、
電磁力により前記ラッチレバーと係合する、回転可動子を備え、当該回転可動子により、前記ラッチレバーを前記係合部材との係合が解除される方向に動作させる前記装置本体に設けられた駆動手段と、
前記支軸の軸方向から見て前記回転可動子の重心と当該支軸の中心がほぼ一致している前記回転可動子に設けられたカウンタウェイトと、
を備えたことを特徴とする光ディスク駆動装置。
【請求項７】
前記回転可動子が、回転型の電磁アクチュエータからなることを特徴とする請求項５または６に記載の光ディスク駆動装置。
【発明の詳細な説明】
【０００１】
【発明の属する技術分野】
本発明は、ディスクトレイの衝撃等による装置本体からの離脱を防止することができる光ディスク駆動装置に関する。
【０００２】
【従来の技術】
ＣＤ−ＲＯＭ，ＣＤ−ＲＷ，ＤＶＤ−ＲＯＭ等の光ディスク（本明細書においては、「光磁気光ディスク」も含む）に記録または再生する光ディスク等のうち、ノート型コンピュータ等に搭載する薄型の光ディスク駆動装置では、たとえば特開平１１−３９７６３号公報に記載されるように、箱状の装置本体に対して、光ディスクの着脱を行う排出位置と収納位置とを移動可能なディスクトレイを有している。この種の光ディスク駆動装置では、ディスクトレイを装置本体内に収納し、収納位置で、ディスクトレイに設置されたスピンドルモータにより光ディスクを高速回転し、同じくディスクトレイに設けられた光ピックアップにより光ディスクに対して記録または再生動作を行う。
【０００３】
ディスクトレイの装置本体に対する移動は主に手動で行われ、ディスクトレイを装置本体内に収納した収納位置ではロック機構によりディスクトレイをその位置に保持する。
【０００４】
図１０（Ａ−１），（Ａ−２），（Ｂ−１），（Ｂ−２）、図１１（Ａ−１），（Ａ−２），（Ｂ−１），（Ｂ−２）により、従来のノート型コンピュータに搭載する光ディスク駆動装置を説明する。
図１０（Ａ−２），（Ｂ−２）、図１１（Ａ−２），（Ｂ−２）に示すように、ロック機構９１は、ソレノイド９１３と、ソレノイド９１３のプランジャー（可動子）９１４と、プランジャー９１４を伸長方向に付勢するコイルバネ９１５と、プランジャー９１４の先端に係合するラッチレバー９１１と、装置本体８１側に設けられたピン９１６（図１０（Ａ−２）には示されていない）とで構成されている。
【０００５】
ラッチレバー９１１は、ディスクトレイ８２に設けられた支軸９１２に回動可能に支持され、ソレノイド９１３の非動作状態においては、常にラッチレバー９１１のフック９１１ａがピン９１６と係合可能な位置に付勢されている。
【０００６】
図１０（Ａ−１），（Ｂ−１）、図１１（Ａ−１），（Ｂ−１）に示すように、ディスクトレイ８２は、トレイ排出バネ９１９を備えている。図１０（Ｂ−１）、図１１（Ａ−１），（Ｂ−１）に示されるように、ディスクトレイ８２は、トレイ排出バネ９１９により装置本体８１に対して排出方向に付勢されており、この付勢力に抗して手動によりディスクトレイ８２が排出位置から収納位置に移動されると、装置本体８１に設けられたピン９１６にラッチレバー９１１の斜面部９１１ｂが当接し、ラッチレバー９１１は逃げる方向に回動し（図１０（Ｂ−１），（Ｂ−２））、収納位置に達するとラッチレバー９１１のフック９１１ａと、装置本体８１に設けられたピン９１６とが係合してディスクトレイ８２は収納口内にロックされる（図１１（Ａ−１），（Ａ−２））。
【０００７】
ソレノイド９１３に通電され、励磁されると、プランジャー９１４がコイルバネ９１５の付勢力に抗して収縮し、ラッチレバー９１１が回動されて、ラッチレバー９１１のフック９１１ａと装置本体８１に設けられたピン９１６との係合が外れ、ロックが解除される（図１１（Ｂ−１），（Ｂ−２））。
【０００８】
トレイ排出バネ９１９により、ディスクトレイ８２は排出方向に付勢されているので、ディスクトレイ８２は収納位置から排出位置方向に移動する。このようなソレノイド９１３を用いてロック機構を構成すると、単純な構造で安価にディスクトレイのロック機構を実現できるので光ディスク装置の光ディスク搬送機構（ディスクトレイ移動機構）として広く用いられている。
【０００９】
【発明が解決しようとする課題】
ところで、このようなロック機構を備えた光ディスク装置では、外部から衝撃が加えられると、ソレノイド９１３のプランジャー９１４が慣性力により移動し、ディスクトレイのロックが解除され、収納位置から飛び出してしまうことがある。プランジャー９１４は通常鉄心なので比重が大きく、衝撃が加えられたときき慣性力が大きい。特に、プランジャー９１４の移動する方向に衝撃が加えられた場合に上記の「飛び出し」が生じ易い。
【００１０】
「飛び出し」が記憶動作・再生動作中に生じると、光ディスクは高速で回転しながら飛び出してくるので、光ディスクやドライバ装置の破損のおそれがあり、また一般にディスクトレイ８２が収納位置にないときは記録再生動作を行わないようにするため、データの記録が中断されることがある。また、記録・再生動作が行われていないときにおいても、衝撃によりディスクトレイ８２が飛び出してしまうと、飛び出したディスクトレイにさらに物がぶつかったりすることで、光ディスクが破損される危険もある。このような不都合は、駆動装置の方式にはよらず、ムービングマグネット型の電磁駆動機構を用いる場合にも生じる。
【００１１】
衝撃によりプランジャー９１４が移動しないように、たとえばプランジャーを付勢しているコイルバネ９１５を強力なものにすると、ロックを解除するソレノイドとして定格電流が大きいものを使用しなければない。持ち運びが可能なノート型パソコンでは、バッテリーを電源として用いることが多いため、消費電力を小さくする必要があり、また持ち運び可能であるが故に、より大きな衝撃が加わるおそれがあり、それに対応するだけコイルバネ９１５を強くすることは現実的ではない。
【００１２】
本発明は、衝撃が加えられても、プランジャー等の可動子が移動してディスクトレイのロックが意識せずに解除されてしまうことを防ぐことができるとともに、ロック解除のための電流値を小さくすることができる光ディスク駆動装置を提供することを目的とする。
【００１３】
【課題を解決するための手段】
本発明は、装置本体に対して光ディスク収納位置と光ディスク取出し位置との間を移動可能なディスクトレイと、前記ディスクトレイを光ディスク収納位置から光ディスク取出し位置方向に付勢する手段と、前記ディスクトレイを収納位置に保持するロック機構とを有する光ディスク駆動装置に適用される。
【００１４】
本発明は、前記ロック機構が、前記装置本体に固定された係合部材と、前記ディスクトレイに設けられた支軸を中心に回動し、当該ディスクトレイが収納位置にあるときに、前記係合部材に係合する係合部を備えたラッチレバーと、前記ラッチレバーを係合部材に係合する方向に付勢する手段と、電磁力により前記ラッチレバーと係合する可動子を備え、当該可動子を駆動することで前記ラッチレバーを、前記係合部材との係合を解除する方向に動作させる前記ディスクトレイに設けられた直線駆動型電磁アクチュエータ等の駆動手段と、前記ラッチレバーの前記支軸を挟んだ反対側に当該ラッチレバーと一体に設けられた、前記可動子との重量均衡（より詳しくは、可動子とラッチレバーとに対する重量均衡）をとるカウンタウェイトとを備えたことを特徴とする。
【００１５】
また、本発明は、前記ロック機構が、前記ディスクトレイに固定された係合部材と、前記装置本体に設けられた支軸を中心に回動し、前記ディスクトレイが収納位置にあるときに、前記係合部材に係合する係合部を備えたラッチレバーと、前記ラッチレバーを係合部材に係合する方向に付勢する手段と、電磁力により前記ラッチレバーと係合する可動子を駆動することで前記ラッチレバーを、前記係合部材との係合を解除する方向に動作させる前記装置本体に設けられた直線駆動型電磁アクチュエータ等の駆動手段と、前記ラッチレバーの前記支軸を挟んだ反対側に当該ラッチレバーと一体に設けられた、前記可動子との重量均衡（より詳しくは、可動子とラッチレバーとに対する重量均衡）をとるカウンタウェイトとを備えたことを特徴とする。
前記カウンタウェイトと前記ラッチレバーと前記可動子との重心が前記可動子の移動方向と平行で前記ラッチレバーの前記支軸を通る直線上または当該直線上の近傍に調整することで、意図せずディスクトレイのロックが解除されるといった問題は生じない。
【００１６】
また、本発明は、前記ロック機構が、前記装置本体に固定された係合部材と、前記ディスクトレイに設けられた支軸を中心に回動し、当該ディスクトレイが収納位置にあるときに、前記係合部材に係合する係合部を備えたラッチレバーと、前記ラッチレバーを係合部材に係合する方向に付勢する手段と、電磁力により前記ラッチレバーと係合する、回転可動子を備え、当該回転可動子により、前記ラッチレバーを前記係合部材との係合が解除される方向に動作させる前記ディスクトレイに設けられた回転型電磁アクチュエータ等の駆動手段と、前記回転可動子に設けられた、支軸の軸方向から見て前記回転可動子の重心と当該支軸の中心がほぼ一致している前記回転可動子に設けられたカウンタウェイトとを備えたことを特徴とする。
【００１７】
さらに、本発明は、前記ロック機構が、前記ディスクトレイに固定された係合部材と、前記装置本体に設けられた支軸を中心に回動し、前記ディスクトレイが収納位置にあるときに、前記係合部材に係合する係合部を備えたラッチレバーと、前記ラッチレバーを係合部材に係合する方向に付勢する手段と、電磁力により前記ラッチレバーと係合する、回転可動子を備え、当該回転可動子により、前記ラッチレバーを前記係合部材との係合が解除される方向に動作させる前記装置本体に設けられた回転型電磁アクチュエータ等の駆動手段と、　前記支軸の軸方向から見て前記回転可動子の重心と当該支軸の中心がほぼ一致している前記回転可動子に設けられたカウンタウェイトとを備えたことを特徴とする。
前記カウンタウェイトと前記ラッチレバーとの重心が、前記可動子の回転軸上または当該回転軸上近傍に位置するように前記カウンタウェイトを調整することで、意図せずディスクトレイのロックが解除されるといった問題は生じない。
【００１８】
【発明の実施の形態】
図１は本発明が適用される光ディスク駆動装置の外観を示す図である。（Ａ）はディスクトレイ収納時の装置斜視図、（Ｂ）はディスクトレイ排出時の装置斜視図である。
【００１９】
図１では、光ディスク駆動装置は装置本体２１とディスクトレイ２２とからなる。ディスクトレイ２２には、光ディスクを回転駆動するスピンドルモータ（図示せず）、記録再生を行う光ピックアップおよびその駆動部を有するピックアップモジュール２３（図１（Ｂ）参照）が備えられている。
【００２０】
図２、図３により本発明の第１実施形態を説明する。
図２（Ａ−１），（Ｂ−１）、図３（Ａ−１），（Ｂ−１）は装置外観を示し、図２（Ａ−２），（Ｂ−２）、図３（Ａ−２），（Ｂ−２）は、ロック機構部１１０を示している。
【００２１】
図２（Ａ−１），（Ａ−２）はディスクトレイ２２が引き出されている状態を、図２（Ｂ−１），（Ｂ−２）はディスクトレイ２２が収納される直前の状態を、図３（Ａ−１），（Ａ−２）はディスクトレイ２２が収納された状態を、図３（Ｂ−１），（Ｂ−２）はディスクトレイ２２が引き出されつつある状態をそれぞれ示している。
【００２２】
図２（Ａ−１），（Ｂ−１）、図３（Ａ−１），（Ｂ−１）では、ロック機構部１１０を透視した状態で示してある。ラッチレバー１１１は、ディスクトレイ２２に設けられた支軸１１２に回転可能に支持されている。装置本体２１には、係合ピン１１６（本発明の係合部材）が設けられている。ディスクトレイ２２には、ソレノイド１１３とプランジャー１１４とを備えた電磁アクチュエータ機構が設けられている。プランジャー１１４の外周にはプランジャー１１４を伸長させる方向に付勢するコイルバネ１１５が設置され、ラッチレバー１１１のフック１１１ａが、装置本体２１に設けられた係合ピン１１６と係合する方向に付勢されている。ソレノイド１１３の非動作中（非通電中）はフック１１１ａと係合ピン１１６が係合してディスクトレイ２２が収納位置にロックされている（図３（Ａ−１），（Ａ−２）参照）。ソレノイド１１３に通電されると、プランジャー１１４が収縮し、ラッチレバー１１１が回動してフック１１１ａと係合ピン１１６の係合が解除される。ディスクトレイ２２の所定個所（本例では１箇所に示すが複数個所であってもよい）のガイド部１１７にスライド可能に排出棒１１８が設置されており、その排出棒１１８は排出バネ１１９によってディスクトレイ２２を装置本体２１から排出するべく付勢されている。
【００２３】
ソレノイド１１３に通電され、プランジャー１１４が動作し、ロックが解除されると排出バネ１１９の付勢力により、ディスクトレイ２２は、装置本体２１より排出位置方向へ押し出される（図３（Ｂ−１），（Ｂ−２）参照）。
【００２４】
ラッチレバー１１１には、支軸１１２を挟んでプランジャー１１４の先端と係合する位置と反対側にカウンタウェイト３０が取り付けられている。支軸１１２からプランジャー１１４の先端と係合する位置までの距離（または、プランジャー１１４の重心位置までの距離）とプランジャー１１４の質量との積と、支軸１１２からカウンタウェイト３０までの距離（または、プランジャー１１４の重心位置までの距離）とカウンタウェイト３０の質量との積を略等しくすることにより、外部からの衝撃が加えられても慣性力によりラッチレバー１１１を回動させるトルクが働くことがなく、意図せずにロックが解除されることがない。
【００２５】
図４、図５により本発明の第２実施形態を説明する。
図４（Ａ−１），（Ｂ−１）、図５（Ａ−１），（Ｂ−１）は、装置外観を示し、図４（Ａ−２），（Ｂ−２）、図５（Ａ−２），（Ｂ−２）は、ロック機構部１２０を示している。
【００２６】
図４（Ａ−１），（Ｂ−１），図５（Ａ−１），（Ｂ−１）では、ロック機構部１２０を透視した状態で示してある。図４（Ａ−１），（Ａ−２）はディスクトレイ２２が引き出されている状態を、図４（Ｂ−１），（Ｂ−２）はディスクトレイ２２が収納される直前の状態を、図５（Ａ−１），（Ａ−２）はディスクトレイ２２が収納された状態を、図５（Ｂ−１），（Ｂ−２）はディスクトレイ２２が引き出されつつある状態をそれぞれ示している。
【００２７】
ラッチレバー１２１は、装置本体２１に設けられた支軸１２２に回動可能に設けられている。装置本体２１には、ソレノイド１２３とプランジャー１２４とを備えた電磁アクチュエータ機構が設けられている。プランジャー１２４の外周にはプランジャー１２４を伸長させる方向に付勢するコイルバネ１２５が設置され、ラッチレバー１２１のフック１２１ａがディスクトレイ２２に設けられた係合ピン１２６と係合する方向に付勢されている。ソレノイド１２３の非動作中（非通電中）はフック１２１ａと係合ピン１２６が係合してディスクトレイ２２が収納位置にロックされている。
【００２８】
ソレノイド１２３に通電されると、プランジャー１２４が収縮し、ラッチレバー１２１が回動してフック１２１ａと係合ピン１２６の係合が解除される。ディスクトレイ２２の所定個所（本例では１箇所に示すが複数個所であってもよい）にはガイド部１２７にスライド可能に排出棒１２８が設置されており、その排出棒１２８は排出バネ１２９によってディスクトレイ２２を装置本体２１から排出するべく付勢されている。
【００２９】
ソレノイド１２３に通電され、プランジャー１２４が動作し、ロックが解除されると排出バネ１２９の付勢力により、ディスクトレイ２２は、装置本体２１より排出位置方向へ押し出される（図３（Ｂ−１），（Ｂ−２）参照）。
【００３０】
ラッチレバー１２１には、支軸１２２を挟んでプランジャー１２４の先端と係合する位置と反対側にカウンタウェイト３０が取り付けられている。支軸１２２からプランジャー１２４の先端と係合する位置までの距離とプランジャー１２４の質量との積と、支軸１２２からカウンタウェイト３０までの距離とカウンタウェイト３０の質量との積を略等しくすることにより、外部からの衝撃が加えられても慣性力によりラッチレバー１２１を回動させるトルクが働くことがなく、意図せずにロックが解除されることがない。
【００３１】
図６、図７により本発明の第３実施形態を説明する。
図６（Ａ−１），（Ｂ−１）、図７（Ａ−１），（Ｂ−１）は、装置外観を示し、図６（Ａ−２），（Ｂ−２）、図７（Ａ−２），（Ｂ−２）は、ロック機構部１３０を示している。
【００３２】
図６（Ａ−１），（Ｂ−１），図７（Ａ−１），（Ｂ−１）では、ロック機構部１３０を透視した状態で示してある。図６（Ａ−１），（Ａ−２）はディスクトレイ２２が引き出されている状態を、図６（Ｂ−１），（Ｂ−２）はディスクトレイ２２が収納される直前の状態を、図７（Ａ−１），（Ａ−２）はディスクトレイ２２が収納された状態を、図７（Ｂ−１），（Ｂ−２）はディスクトレイ２２が引き出されつつある状態をそれぞれ示している。
【００３３】
ラッチレバー１３１は、ディスクトレイ２２に設けられた支軸１３２に回動可能に設けられている。ディスクトレイ２２には、単極モータ１３３からなる電磁アクチュエータ機構が設けられている。
単極モータ１３３は、電磁コイル１３３ａ（空心であってもよいし鉄心コアを有していてもよい）を備えており、回転軸１３３ｂを中心に回転することができる。単極モータ１３３は、電磁コイル１３３ａと、この電磁コイル１３３ａの回転軸１３３ｂを挟んだ反対側に突出する作用片１３４と、電磁コイル１３３ａの下面に位置する扇型マグネット１３３ｃを備えており、作用片１３４先端には電磁コイル１３３ａとの重量バランスをとるカウンタウェイト４０が設けられている。単極モータ１３３の、電磁コイル１３３ａ，作用片１３４を含む可動部分が本発明の回転可動子を構成している。
単極モータ１３３は、通電時には、電磁コイル１３３ａと作用片１３４とを反時計回りに回転し、非通電時には、支持点１３５ｂに一端が取り付けられ他端が作用片１３４の支持点１３５ａに取り付けられた引っ張りコイルバネ１３５により時計回りに付勢することできる。
【００３４】
一方、ラッチレバー１３１はディスクトレイ２２に設けられた支軸１３２に取り付けられている。ラッチレバー１３１の一方の先端は、凹部が作用片１３４のカウンタウェイト３０との接触を回避する鎌形状の爪部１３１ｃを備え、他方に係合部１３１ａを備えている。係合部１３１ａは係合切欠き部１３１ｂを備えている。また、支軸から見て係合部１３１ａの所定部位にバネ取り付け突起１３１ｄが形成され、突起１３１ｄの支持点１３１ｆに引っ張りコイルバネ１３１ｅの一端が取り付けられている。この引っ張りコイルバネ１３１ｅの他端はディスクトレイ２２に固定された支持点１３１ｇに取り付けられ、ラッチレバー１３１を反時計回りに付勢している。ラッチレバー１３１の爪部１３１ｃの先は単極モータ１３３が支点１３５を中心に時計回りに力を受けるように作用片１３４に押接している。
【００３５】
装置本体２１には、ディスクトレイ２２が、完全に収容された状態でラッチレバー１３１の係合切欠き部１３１ｂに係合する位置に係合ピン１３６が設けられている。装置本体２１にから引き出された状態から（図６（Ａ−１），（Ａ−２））から、収容される状態に移行すると、ラッチレバー１３１の係合切欠き部１３１ｂは係合ピン１３６に係止される（図７（Ａ−１），（Ａ−２））。
【００３６】
単極モータ１３３に通電されると、作用片１３４は反時計回りに回動し、これによりラッチレバー１３１が支軸１３２を中心に時計回りに回動して係合切欠き部１３１ｂと係合ピン１３６の係合が解除される。
【００３７】
ディスクトレイ２２の所定個所（本例では１箇所に示すが複数個所であってもよい）にはガイド部１３７にスライド可能に排出棒１３８が設置されており、排出棒１３８は排出バネ１３９によってディスクトレイ２２を装置本体２１から排出するべく付勢されている。これにより、係合切欠き部１３１ｂと係合ピン１３６の係合が解除されると（図７（Ｂ−１），（Ｂ−２））、ディスクトレイ２２は装置本体２１から排出される。
【００３８】
作用片１３４に回転軸１３３ｂを挟んで取り付けられたカウンタウェイト４０は、電磁コイル１３３ａ，作用片１３４を含む可動部分の重心が回転軸１３３ｂ上またはその近傍に位置するように位置や重量が調整されている。したがって、外部からの衝撃が加えられても慣性力により単極モータ１３３を回動させるトルクが働くことがなく、意図せずにロックが解除されることがない。
【００３９】
図８、図９により本発明の第４実施形態を説明する。
図８（Ａ−１），（Ｂ−１）、図９（Ａ−１），（Ｂ−１）は、装置外観を示し、図８（Ａ−２），（Ｂ−２）、図９（Ａ−２），（Ｂ−２）は、ロック機構部１４０を示している。
【００４０】
図８（Ａ−１），（Ｂ−１），図９（Ａ−１），（Ｂ−１）では、ロック機構部１４０を透視した状態で示してある。図８（Ａ−１），（Ａ−２）はディスクトレイ２２が引き出されている状態を、図８（Ｂ−１），（Ｂ−２）はディスクトレイ２２が収納される直前の状態を、図９（Ａ−１），（Ａ−２）はディスクトレイ２２が収納された状態を、図９（Ｂ−１），（Ｂ−２）はディスクトレイ２２が引き出されつつある状態をそれぞれ示している。
【００４１】
ラッチレバー１４１は、ディスクトレイ２２に設けられた支軸１４２に回動可能に設けられている。ディスクトレイ２２には、単極モータ１４３からなる電磁アクチュエータ機構が設けられている。
【００４２】
単極モータ１４３は、電磁コイル１４３ａ（空心であってもよいし鉄心コアを有していてもよい）を備えており、回転軸１４３ｂを中心に回転することができる。単極モータ１４３は電磁コイル１４３ａと、この電磁コイル１４３ａの回転軸１４３ｂを挟んだ反対側に突出する作用片１４４と、電磁コイル１４３ａの下面に位置する扇型マグネット１４３ｃとを備えており、作用片１４４先端には電磁コイル１４３ａとの重量バランスをとるカウンタウェイト４０が設けられている。単極モータ１４３の、電磁コイル１４３ａ，作用片１４４を含む可動部分が本発明の回転可動子を構成している。
単極モータ１４３は、通電時には、電磁コイル１４３ａと作用片１４４とを反時計回りに回転し、非通電時には、支持点１４５ｂに一端が取り付けられ他端が作用片１４４の支持点１４５ａに取り付けられた引っ張りコイルバネ１４５により時計回りに付勢することできる。
【００４３】
一方、ラッチレバー１４１はディスクトレイ２２に設けられた支軸１４２に取り付けられている。ラッチレバー１４１の一方の先端は、凹部が作用片１４４のカウンタウェイト３０との接触を回避する鎌形状の爪部１４１ｃを備え、他方に係合部１４１ａを備えている。係合部１４１ａは係合切欠き部１４１ｂを備えている。また、支軸から見て係合部１４１ａの所定部位にバネ取り付け突起１４１ｄが形成され、突起１４１ｄの支持点１４１ｆに引っ張りコイルバネ１４１ｅの一端が取り付けられている。この引っ張りコイルバネ１４１ｅの他端はディスクトレイ２２に固定された支持点１４１ｇに取り付けられ、ラッチレバー１４２を反時計回りに付勢している。ラッチレバー１４２の爪部１４１ｃの先は単極モータ１４３が支点１４５を中心に時計回りに力を受けるように作用片１４４に押接している。
【００４４】
装置本体２１には、ディスクトレイ２２が、完全に収容された状態でラッチレバー１４２の係合切欠き部１４１ｂに係合する位置に係合ピン１４６が設けられている。装置本体２１にから引き出された状態から（図８（Ａ−１），（Ａ−２））から、収容される状態に移行すると、ラッチレバー１４２の係合切欠き部１４１ｂは係合ピン１４６に係止される（図９（Ａ−１），（Ａ−２））。
【００４５】
単極モータ１４３に通電されると、作用片１４４は反時計回りに回動し、これによりラッチレバー１４１が支軸１４２を中心に時計回りに回動して係合切欠き部１４１ｂと係合ピン１４６の係合が解除される。
【００４６】
ディスクトレイ２２の所定個所（本例では１箇所に示すが複数個所であってもよい）にはガイド部１４７にスライド可能に排出棒１４８が設置されており、排出棒１４８は排出バネ１４９によってディスクトレイ２２を装置本体２１から排出するべく付勢されている。これにより、係合切欠き部１４１ｂと係合ピン１４６の係合が解除されると（図９（Ｂ−１），（Ｂ−２））、ディスクトレイ２２は装置本体２１から排出される。
【００４７】
作用片１４４に、回転軸１４３ｂを挟んで取り付けられたカウンタウェイト４０は、電磁コイル１４３ａ，作用片１３４を含む可動部分が単極モータ１４３の全体の重心が回転軸１４３ｂ上またはその近傍に位置するように位置や重量が調整されている。したがって、外部からの衝撃が加えられても慣性力により単極モータ１４３を回動させるトルクが働くことがなく、意図せずにロックが解除されることがない。
【００４８】
【発明の効果】
ラッチレバーに、支軸を挟んで可動子（プランジャー）と係合する位置と反対側に可動子に対するカウンタウェイトを設けたので、光ディスク駆動装置に対して外部から衝撃が加えられてもラッチレバーが回動してしまうことがなく、意図せずディスクトレイのロックが解除されるといった問題は生じない。
また、可動子の回転中心軸である支軸の軸方向から見て、可動子の重心と支軸の中心をほぼ一致させることで、光ディスク駆動装置に対して外部からの衝撃が加えられても、ラッチレバーが回動してしまうことがなく、意図せずディスクトレイのロックが解除されるといった問題は生じない。
【図面の簡単な説明】
【図１】本発明のディスク駆動装置の外観を示す図であり、（Ａ）はディスクトレイが収納された状態、（Ｂ）はディスクトレイが引き出された状態を示す図である。
【図２】本発明の第１実施形態におけるディスクトレイと装置本体との位置関係およびロック機構の２つの状態を示す図である。
【図３】本発明の第１実施形態におけるディスクトレイと装置本体との位置関係およびロック機構の他の２つの状態を示す図である。
【図４】本発明の第２実施形態におけるディスクトレイと装置本体との位置関係およびロック機構の２つの状態を示す図である。
【図５】本発明の第３実施形態におけるディスクトレイと装置本体との位置関係およびロック機構の他の２つの状態を示す図である。
【図６】本発明の第３実施形態におけるディスクトレイと装置本体との位置関係およびロック機構の２つの状態を示す図である。
【図７】本発明の第３実施形態におけるディスクトレイと装置本体との位置関係およびロック機構の他の２つの状態を示す図である。
【図８】本発明の第４実施形態におけるディスクトレイと装置本体との位置関係およびロック機構の２つの状態を示す図である。
【図９】本発明の第４実施形態におけるディスクトレイと装置本体との位置関係およびロック機構の他の２つの状態を示す図である。
【図１０】従来のディスク駆動装置におけるディスクトレイと装置本体との位置関係およびロック機構の２つの状態を示す図である。
【図１１】従来のディスク駆動装置におけるディスクトレイと装置本体との位置関係およびロック機構の他の２つの状態を示す図である。
【符号の説明】
２１　装置本体
２２　ディスクトレイ
２３　ピックアップモジュール
３０，４０　カウンタウェイト
１１０，１２０，１３０，１４０　ロック機構部
１１１，１２１，１３１，１４１　ラッチレバー
１１１ａ，１２１ａ　フック
１１２，１２２，１３２，１４２　支軸
１１３，１２３　ソレノイド
１１４，１２４　プランジャー
１１５，１２５，１３５，１４５　コイルバネ
１１６，１２６　係合ピン
１１７，１２７，１３７，１４７　ガイド部
１１８，１２８，１３８，１４８　排出棒
１１９，１２９，１３９，１４９　排出バネ
１３１ａ，１４１ａ　係合部
１３１ｂ，１４１ｂ　係合切欠き部
１３１ｃ，１４１ｃ　爪部
１３１ｄ，１４１ｄ　バネ取り付け突起
１３１ｅ，１４１ｅ　引っ張りコイルバネ
１３１ｆ，１４１ｆ　支持点
１３１ｇ，１４１ｇ　支持点
１３３，１４３　単極モータ
１３３ａ，１４３ａ　電磁コイル
１３３ｂ，１４３ｂ　回転軸
１３３ｃ，１４３ｃ　扇型マグネット
１３４，１４４　作用片
１３５，１４５　支点
１３５ａ，１３５ｂ　支持点
１３６，１４６　係合ピン
１３７，１４７　ガイド部
【図１】
2004005875.tif 000003
【図２】
2004005875.tif 000004
【図３】
2004005875.tif 000005
【図４】
2004005875.tif 000006
【図５】
2004005875.tif 000007
【図６】
2004005875.tif 000008
【図７】
2004005875.tif 000009
【図８】
2004005875.tif 000010
【図９】
2004005875.tif 000011
【図１０】
2004005875.tif 000012
【図１１】
2004005875.tif 000013